(57)【要約】【課題】入口には折戸を装着し、その周囲には縦桟と横桟を枠組みした枠体を取付けているクローゼットの前面枠体の上記縦桟であって、折戸と枠体との間の隙間が斜めからも見えないように、またクローゼットの外観に合ったカバー部とすることが手軽に出来る縦桟の提供。【解決手段】縦桟は樹脂の成形材であって、止着部１とカバー部を有す概略Ｌ型断面を成している。カバー部は止着部１と一体成形されるカバー基部２にカバー表面材６が取付けられ、クローゼットの入口側へ延びるカバー基部２の反対側には入口角に当たって位置決めされるストッパー３を設けている。そして、止着部１の内側には隙間防止材８を有している。【選択図】        図１
2004150173.tif 000002
【特許請求の範囲】
【請求項１】
入口には折戸を装着し、その周囲には縦桟と横桟を枠組みした枠体を取付けているクローゼットの前面枠体の縦桟において、該縦桟は樹脂を材質とした成形材であって止着部とカバー部を有す概略Ｌ型断面を形成し、又、カバー部は上記止着部と一体成形されるカバー基部にカバー表面材が取付けられ、クローゼットの入口側へ延びる上記カバー基部の反対側には入口角に当たって縦桟が位置決めされるストッパーを設け、さらに上記止着部の内側には隙間防止材を設けたことを特徴とするクローゼットの前面枠体の縦桟。
【請求項２】
上記隙間防止材をカバー基部の内側に設けた請求項１記載のクローゼットの前面枠体の縦桟。
【請求項３】
上記隙間防止材として、内部に空洞を有す概略コ型断面の軟質樹脂材で構成した請求項１、又は請求項２記載のクローゼットの前面枠体の縦桟。
【請求項４】
上記カバー基部には係止片を起立して設け、該係止片にカバー表面材の側片を係止して取付けた請求項１、請求項２、又は請求項３記載のクローゼットの前面枠体の縦桟。
【発明の詳細な説明】
【０００１】
【発明の属する技術分野】
本発明は部屋の壁面に一体化して据付したクローゼット、特に該クローゼットの前面枠体を構成する縦桟に関するものである。
【０００２】
【従来の技術】
最近の住宅では部屋の壁面にクローゼットを据付ける場合が多く、このような構造とすることで部屋が広くなり、部屋に独立した収納ボックス等を置く必要がなくなる。ところで、このようなクローゼットを壁面と一体化して構成する場合、入口と成る前面周辺には門型枠体又は長方形枠体が取付けされ、この枠体に折戸が装着されている。
【０００３】
図１２は従来のクローゼットを表しているが、上記門型枠体（イ）は長方形断面で木質の両縦桟（ロ）、（ロ）と横桟（ハ）から成って、入口内周面に取付けされ、枠体（イ）は壁面（ニ）から一部突出している。そして、該枠体（イ）の両側には対を成した２枚１組の折戸（ホ）が装着されているが、該折戸（ホ）の片方のパネル（ヘ）の上下端にはピボット軸（ト）を設けて軸支すると共に、他方のパネル（チ）の上下端にはスライダー（リ）が取着され、このスライダー（リ）は上下レールに沿ってスライドすることで折戸（ホ）は開閉することが出来る。
【０００４】
ところで、ピボット軸（ト）に軸支されるパネル（ヘ）は該ピボット軸（ト）を中心として回転することが出来るように、縦桟（ロ）との間にはある程度の隙間（ヌ）が設けられている。この隙間（ヌ）は折戸（ホ）を閉じた際に最も大きくなって、正面からのクローゼット外観が損なわれる。そして、該クローゼット入口には大きな縦桟（ロ）、（ロ）が左右に存在して、クローゼット空間を狭めるだけでなく、物の出し入れに支障を来たしている。
【０００５】
そこで、折戸（ホ）を閉じた状態で、上記隙間（ヌ）が正面から見えないように工夫した枠体が知られている。これは特開２０００−１１０４４８号に係る「クローゼットの前面枠体」であり、図１３に示しているように「縦桟（ル）は樹脂を材質とした成形材であって、止着部（オ）と該止着部先端に形成されて壁面（ワ）から突出するカバー部（カ）を有し、カバー部（カ）は入口側へ延びて折戸（ホ）との隙間を被覆する内カバーと、壁面側へ延びてその先端縁が壁面との間に隙間を残すことなく当接する外カバーから成り、止着部先端には壁面（ワ）と内側面の角に当たって位置決めがなされる当り片を形成し、そして内カバーの当接面は当り片との間に横桟が嵌り得る段差を有し、該縦桟（ル）を入口両側に起立して止着部（オ）を内側面に固定すると共に、横桟の両サイドは縦桟の内カバーの当接面と壁面の間に嵌合して連結されている。」
【０００６】
しかし、上記枠体を取付けることで正面からの隙間は見えないが、斜め横からの隙間をカバーすることは出来ない。一方、該枠体はカバー部（カ）と止着部（オ）が一体化された樹脂の成形材であり、折戸（ホ）の色彩や模様等に調和する枠体が必要となる。すなわち、クローゼットの意匠に合わせて色々な枠体を準備しなくてはならない。又、既存の押入れをクローゼットにリフォームする場合、従来の枠体を用いるならば、夫々の押入れに適合する多種多様の枠体を準備する必要があり、制作費も嵩むことになる。
【０００７】
【発明が解決しようとする課題】
このように、従来のクローゼットの前面枠体には上記のごとき問題がある。本発明が解決しようとする課題はこの問題点であり、折戸と枠体との間の隙間が斜めからも見えないようにし、又クローゼットの外観に合ったカバー部とすることが易く出来るクローゼットの前面枠体の縦桟を提供する。
【０００８】
【課題を解決する為の手段】
本発明のクローゼットの前面枠体の縦桟は概略Ｌ型を成し、止着部とカバー部を有している。カバー部は壁面から突出すると共に、入口側（折戸側）に延びると共に壁面側と成るカバー部の後方端にはストッパーを形成している。カバー部の長さは折戸が折畳み出来る範囲とし、そして止着部はクローゼットの内側面に当接してネジ止めされる。
【０００９】
止着部又はカバー部の内側には折戸間の隙間を無くす為に、隙間防止材が取付けられ、この隙間防止材は常に折戸に接し、折戸の開閉動作に伴って変形することが出来る。一方、カバー部はカバー基部とカバー表面材から成り、カバー表面材はカバー基部にワンタッチで取付け・取外しが出来る取付け構造と成っている。
【００１０】
そこで、カバー基部は止着部と一体成形され、カバー表面材は別部材として色々なサイズ、色彩・模様を備えて成形される。すなわち、止着部とカバー基部から成る縦桟本体は共用され、カバー表面材だけをクローゼットの意匠に適合したものが選択して取付け出来る。以下、本発明に係る実施例を図面に基づいて詳細に説明する。
【００１１】
【実施例】
図１は本発明に係るクローゼットの前面枠体の縦桟を示す断面図である。同図は縦桟本体をクローゼット入口に取付けた場合で、カバー表面材は取付けされる前の状態を示している。縦桟本体は概略Ｌ型断面を成して、止着部１とカバー基部２を有す樹脂製の押出し成形材であり、カバー基部２は入口側へ延びているが、壁面側へはストッパー３を突出している。
【００１２】
そこで、止着部１はクローゼットの内面４に当接すると共に、ストッパー３は角に当てて位置決めしたところでネジ止めされる。そしてカバー基部２の先端には係止片５ａが起立し、ストッパー３からも係止片５ｂを起立している。係止片５ａには小さな係止部が、同じく係止片５ｂにも小さな係止部を形成している。
【００１３】
ところで、カバー基部２にはカバー表面材６が取付けられるが、概略コ型断面のカバー表面材６の側片７ａは係止片５ａに係止し、側片７ｂは係止片５ｂに係止して取付けられる。側片７ａ，７ｂの先端に設けている小さな係止部は上記係止片５ａ，５ｂの係止部と噛み合って外れなくなる。ここで、カバー表面材６は縦桟本体とは独立した成形材である為に、同じ縦桟本体に対して外観・模様などが異なるカバー表面材６をクローゼットの外観に合わせて取付け出来る。
【００１４】
そして、本発明では、止着部１に隙間防止材８を内側へ突出して設けている。この隙間防止材８は内部空洞を有すコ型断面の軟質樹脂から成り、折戸に常に接し、該折戸が開閉動する際に適当に圧縮変形することが出来る。
【００１５】
図２は本発明の縦桟を示す他の実施例であり、カバー表面材６は縦桟本体のカバー基部２から外されている状態にあるが、基本的な形態は前記図１に示した縦桟と同じである。異なる点は、カバー表面材６の形状が多少違っている点と、隙間防止材８がカバー基部２の内側先端部に設けられている点である。
【００１６】
図３は本発明の他の実施例であるが、カバー表面材６の形態が多少異なり、又隙間防止材８としてモヘアが使用されている点が、前記実施例の縦桟とは違っている。該モヘアで構成した隙間防止材８は止着部１の内側に両ガイド片１０ａ，１０ｂにて形成されるガイド溝９に基部１１が嵌入して取付けられている。
【００１７】
図４に示す縦桟はカバー表面材６の形態が多少異なり、そして該カバー表面材６を取付ける為のカバー基部２の形状も前記実施例の場合とは違っている。すなわち、止着部１を延ばして係止片を設け、カバー基部の先端にも係止片を設けている。
【００１８】
図５は前記縦桟を取付けた使用形態を示しているが、クローゼットの入口には折戸１２が装着され、該折戸１２は２枚のパネル１３ａ，１３ｂが継手１４を介して折畳まれるように連結している。そして該折戸１２を折畳むことで入口は開口し、同図のように引き伸ばすことで入口は閉じられる。パネル１３ａに設けているピボット軸１５を中心としてパネル１３ａが回転するならば、他方のパネル１３ｂはレールに沿ってスライドすることが出来る。
【００１９】
クローゼットの入口の周りには枠体が取付けられ、該枠体は本発明に係る縦桟と横桟で門型を形成し、入口両側には該縦桟１６，１６が取付けられ、折戸１２との間に生じる隙間を防止することが出来る。同図の（ａ）はカバー基部２に隙間防止材８が設けられ、折戸１２の両側端の角部は隙間防止材８，８に接して隙間が生じないように成っている。
【００２０】
（ｂ）は止着部１，１の内側に隙間防止材８，８が設けられ、折戸１２の両側端面に接している。又（ｃ）の止着部１，１にはモヘアから成る隙間防止材８，８が取付けられ、折戸１２の両側端に接している。そしてカバー基部２にはカバー表面材６が取付けられ、該カバー表面材６は折戸１２の外観に合わせて、意匠的に調和するカバー表面材６が選択して使用される。
【００２１】
図６はパネル１３ａがピボット軸１５を中心として回転する場合に、隙間防止剤８は多少変形して隙間を生じない様子を示している。
一方、本発明の縦桟を用いることで従来の押入れをクローゼットにリフォームすることが簡単に出来る。図７は押入れを示しているが、上枠１７には上レールが取付けられ、片方の縦枠１８には本発明の縦桟が取付けられている。そして、図８（ａ）は図７のＡ−Ａ断面拡大図、（ｂ）はＢ−Ｂ断面拡大図を示している。
【００２２】
上枠１７にはコ型断面をした取付け部２０を有す上レールカバー材１９を取付けし、該取付け部２０にはコ型断面の上レール２１が取着されている。又縦桟１８には本発明に係る縦桟１６が取着されている。縦桟１６の止着部１は縦枠１８にネジ止めされ、カバー基部２にはカバー表面材６が取付けられている。カバー表面材６はカバー基部２及び縦枠１８の表面をカバーすることが出来るが、該カバー表面材６だけを適当な大きさ・形状とすることで、あらゆる押入れをクローゼットにリフォームすることが簡単にしかも易く出来る。
【００２３】
図９はリフォームされたクローゼットに折戸１２を装着した場合である。折戸１２の上端に取付けられたスライダー２２は上レール２１に遊嵌して開閉操作に際してスライドすることが出来る。そして、折戸１２が伸長してクローゼットが閉じられた場合、縦桟１６の止着部１との間は隙間ａとなるが、隙間防止材８によって該隙間ａは塞がれる。
【００２４】
図１０は縦桟１６と上桟２３との組合せ構造を示している具体例であり、（ａ）はカバー表面材６が取付けられている場合、（ｂ）はカバー表面材６が取付けられていない場合である。該上桟２３にはクローゼットを構成する折戸１２をガイドする為の上レール２１が取付けられている。この場合、上桟２３の正面には壁面２４にリブ２５が係止して、該リブ２５は壁面２４から突出している。そして該上桟２３に対して縦桟１６の上端部が重合して取付けられている。
【００２５】
図１１に示すように、壁面２４に重なり合って位置するリブ２５をカバーするようにカバー基部２が取付けられている。そして該カバー基部２は図１０（ｂ）に示しているように上桟２３のリブ上端まで延びていないが、図１０（ａ）に示すごとく該リブ上端まで延びるカバー表面材６が取付けられる。このように、カバー基部２を有す縦桟本体の長さはラフであっても、カバー表面材６をキャップとして取付けることで上桟２３とのコーナーを奇麗に形成できる。
【００２６】
以上述べたように、本発明に係るクローゼットの前枠体の縦桟は、概略Ｌ型断面を成し、カバー基部にはカバー表面材を着脱自在に取付けられ、止着片又はカバー基部の内側には隙間防止材を設けたものであり、次のような効果を得ることが出来る。
【００２７】
【発明の効果】
本発明の枠体の縦桟は概略Ｌ型を成したカバー部が折戸側へ延びていて、しかも、隙間防止材を設けている為に、縦桟と折戸間には隙間が生じることは無い。しかも斜めから見ても隙間は見えない。そして、本発明の縦桟のカバー部はカバー基部にカバー表面材が取付けられる。従って、クローゼットの折戸その他周りの意匠に合わせて、カバー表面材を選択して取付け出来る。又、従来の押入れをクローゼットにリフォームする場合、カバー基部に適当な大きさ形状のカバー表面材を取付けることで、外観的に好ましいクローゼット用縦桟となって、折戸の装着が出来る。すなわち、カバー表面材を分離した構造とすることで、縦桟本体の互換性があり、コスト的にも易くなる。
【図面の簡単な説明】
【図１】本発明に係る枠体の縦桟断面図。
【図２】本発明に係る枠体の縦桟断面図。
【図３】本発明に係る枠体の縦桟断面図。
【図４】本発明に係る枠体の縦桟断面図。
【図５】縦桟を取付けたクローゼットの横断面図。
【図６】折戸の開閉操作に伴う隙間防止材の状態。
【図７】従来の押入れをリフォームしてクローゼットにする場合。
【図８】（ａ）は図７のＡ−Ａ断面拡大図、（ｂ）はＢ−Ｂ断面拡大図。
【図９】リフォームしたクローゼットに折戸を装着した場合。
【図１０】本発明の縦桟を用いた使用態様。
【図１１】図１０における縦桟と横桟のコーナー部断面。
【図１２】従来のクローゼット。
【図１３】従来のクローゼット。
【符号の説明】
１  止着部
２  カバー基部
３  ストッパー
４  内面
５  係止片
６  カバー表面材
７  側片
８  隙間防止材
９  ガイド溝
１０  ガイド片
１１  基部
１２  折戸
１３  パネル
１４  継手
１５  ピボット軸
１６  縦桟
１７  上枠
１８  縦枠
１９  上レールカバー材
２０  取付け部
２１  上レール
２２  スライダー
２３  上桟
２４  壁面
２５  リブ
【図１】
2004150173.tif 000003
【図２】
2004150173.tif 000004
【図３】
2004150173.tif 000005
【図４】
2004150173.tif 000006
【図５】
2004150173.tif 000007
【図６】
2004150173.tif 000008
【図７】
2004150173.tif 000009
【図８】
2004150173.tif 000010
【図９】
2004150173.tif 000011
【図１０】
2004150173.tif 000012
【図１１】
2004150173.tif 000013
【図１２】
2004150173.tif 000014
【図１３】
2004150173.tif 000015